Podtech/llm-jp-corpus-v4-ja_patent huggingface dataset:
【手続補正書】
【提出日】令和2年11月10日(2020.11.10)
【手続補正１】
【補正対象書類名】特許請求の範囲
【補正対象項目名】全文
【補正方法】変更
【補正の内容】
【特許請求の範囲】
【請求項１】
炭化水素系の燃料から生成された合成ガスをタール処理触媒に接触させ、合成ガスに含まれるタール中の分子量３００以上の中・高分子成分を分子量３００未満の低分子に分解するタール分解処理工程を含む、タール成分の処理方法。
【請求項２】
前記タール分解処理工程においては、６００℃以上１０００℃以下でタール中の中・高分子成分が分解される、請求項１に記載のタール成分の処理方法。
【請求項３】
前記タール分解処理工程において、前記タール処理触媒を構成する物質は、多孔質アルミナ、石灰石、ニッケル、ドロマイト、ゼオライト、カオリナイトから選択される、請求項１または２に記載のタール成分の処理方法。
【請求項４】
燃料から合成ガスを生成する合成ガスの生成工程において、燃料と熱媒体と流動化ガスにより流動層が形成され、６００℃以上１０００℃以下で合成ガスが生成される、請求項１〜３のいずれか一項に記載のタール成分の処理方法。
【請求項５】
燃料として褐炭を用いる、請求項１〜４のいずれか一項に記載のタール成分の処理方法。
【請求項６】
炭化水素系の燃料から生成された合成ガスを導入するタール処理部と、
前記タール処理部に設置され、合成ガスに含まれるタール中の分子量３００以上の中・高分子成分を分子量３００未満の低分子に分解するタール処理触媒を備えたタール成分の処理装置。
【請求項７】
前記タール処理部においては、６００℃以上１０００℃以下でタール中の中・高分子成分が分解される、請求項６に記載のタール成分の処理装置。
【請求項８】
前記タール処理触媒を構成する物質は、多孔質アルミナ、石灰石、ニッケル、ドロマイト、ゼオライト、カオリナイトから選択される物質である、請求項６または７に記載のタール成分の処理装置。
【請求項９】
燃料と熱媒体と流動化ガスにより流動層を形成し、６００℃以上１０００℃以下で合成ガスを生成するガス化部を備えた、請求項６〜８のいずれか一項に記載のタール成分の処理装置。
【請求項１０】
燃料として褐炭を用いる、請求項６〜９のいずれか一項に記載のタール成分の処理装置。
【手続補正書】
【提出日】令和1年12月19日(2019.12.19)
【手続補正１】
【補正対象書類名】明細書
【補正対象項目名】００７１
【補正方法】変更
【補正の内容】
【００７１】
すなわち、（１）汚水温度が高いときには、微生物の分解作用が活性化するとともに、飽和溶存酸素量は低下する。（２）汚水温度が低いときには、微生物の分解作用が低下するとともに、飽和溶存酸素量は上昇する。
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
判定条件の成立に基づいて遊技状態を遊技者に有利な特別遊技状態に移行させるか否かの判定を行う主制御手段と、
画像による演出が実行される画像表示手段、及び楽曲を出力する演出が実行される音声出力手段を含む演出手段と、
複数の楽曲から前記音声出力手段によって出力させる楽曲を遊技者に選択させるための所定の楽曲選択画像を前記画像表示手段に表示させ、遊技者によって所定の楽曲が選択された場合に当該所定の楽曲を前記音声出力手段に出力させる演出実行手段と、
前記音声出力手段によって出力させる楽曲を選択する場合に遊技者によって操作される操作手段と、
を備え、
前記演出実行手段は、
所定の遊技状態において、前記所定の楽曲選択画像として、前記音声出力手段によって出力させる楽曲を選択するための前記操作手段に対する決定操作によって選択可能な仮選択楽曲であることを示す仮選択楽曲画像を表示する仮選択楽曲画像表示手段と、
前記操作手段に対する決定操作によって前記所定の楽曲が選択された場合に、前記所定の楽曲が選択されたことを識別可能に記憶する記憶手段と、
遊技者による前記操作手段に対する所定の操作に応じて、前記所定の楽曲選択画像中における前記仮選択楽曲画像を変更する変更手段と、
前記所定の遊技状態において、初期設定として遊技者によって未だ選択されていない第１の未選択楽曲を前記仮選択楽曲として設定する初期設定手段と、
前記初期設定手段が前記第１の未選択楽曲を前記仮選択楽曲として設定した状態において、前記操作手段に対して第１の操作が行われる場合に、遊技者によって既に選択されたことのある既選択楽曲を前記仮選択楽曲として設定する手段と、
前記初期設定手段が前記第１の未選択楽曲を前記仮選択楽曲として設定した状態において、前記操作手段に対して前記第１の操作とは異なる第２の操作が行われる場合に、遊技者によって未だ選択されていない前記第１の未選択楽曲とは異なる第２の未選択楽曲を前記仮選択楽曲として設定する手段と、
を備え、
本遊技機はさらに、前記操作手段に対して前記第１の操作が行われる場合に前記既選択楽曲が存在しない状況では遊技者によって未だ選択されていない前記第１の未選択楽曲及び前記第２の未選択楽曲とは異なる第３の未選択楽曲を前記仮選択楽曲として設定する手段を備え、
前記仮選択楽曲画像表示手段は、
前記操作手段に対する操作の種類に応じて対応する楽曲画像を前記仮選択楽曲画像として表示し、
前記初期設定手段が前記第１の未選択楽曲を前記仮選択楽曲として設定した状態において、前記操作手段に対する前記第１の操作がなされた場合に、第１の方向に前記仮選択楽曲画像を移行させ、
前記初期設定手段が前記第１の未選択楽曲を前記仮選択楽曲として設定した状態において、前記操作手段に対する前記第２の操作がなされた場合に、前記第１の方向とは逆方向である第２の方向に前記仮選択楽曲画像を移行させ、
前記演出実行手段は、前記仮選択楽曲として複数の既選択楽曲から前記既選択楽曲を選択可能な遊技状態において、前記仮選択楽曲画像として前記複数の既選択楽曲のうちの第１の既選択楽曲に対する第１の既選択楽曲画像が前記画像表示手段に表示されている状態において、前記操作手段に対して前記第１の操作が行われた場合、前記仮選択楽曲画像として前記複数の既選択楽曲のうちの前記第１の既選択楽曲とは異なる第２の既選択楽曲に対する第２の既選択楽曲画像を前記画像表示手段に表示させることを特徴とする遊技機。
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
所定条件の成立に基づいて識別情報の変動表示を行い、識別情報の変動表示の表示結果が特定表示結果になることに基づいて、遊技者に所定の利益を付与し得る特別遊技が実行可能となる遊技機であって、
所定の画像を表示可能な画像表示手段と、
前記画像表示手段による画像の表示を制御する表示制御手段と、
識別情報の変動表示回数を計数可能な計数手段と、
を備え、
前記表示制御手段は、少なくとも第１レイヤーの画像と第２レイヤーの画像とを重ね合わせて前記画像表示手段に表示可能であり、
前記第１レイヤーの画像には、所定の背景画像が含まれており、
前記第２レイヤーの画像には、前記計数手段により計数される識別情報の変動表示回数を示す回数画像が含まれている
ことを特徴とする遊技機。
【請求項２】
前記表示制御手段は、前記第２レイヤーの画像を表示または非表示とすることが可能である
ことを特徴とする請求項１に記載の遊技機。
【請求項３】
前記表示制御手段は、識別情報の変動表示に係る変動パターンに基づいて、前記回数画像の表示態様を変化させることが可能である
ことを特徴とする請求項１又は２に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
（１）手段１の遊技機は、
所定条件の成立に基づいて識別情報の変動表示を行い、識別情報の変動表示の表示結果が特定表示結果になることに基づいて、遊技者に所定の利益を付与し得る特別遊技が実行可能となる遊技機であって、
所定の画像を表示可能な画像表示手段と、
前記画像表示手段による画像の表示を制御する表示制御手段と、
識別情報の変動表示回数を計数可能な計数手段と、
を備え、
前記表示制御手段は、少なくとも第１レイヤーの画像と第２レイヤーの画像とを重ね合わせて前記画像表示手段に表示可能であり、
前記第１レイヤーの画像には、所定の背景画像が含まれており、
前記第２レイヤーの画像には、前記計数手段により計数される識別情報の変動表示回数を示す回数画像が含まれている
ことを要旨とする。
（２）手段２の遊技機は、手段１の遊技機において、
前記表示制御手段は、前記第２レイヤーの画像を表示または非表示とすることが可能である
ことを要旨とする。
（３）手段３の遊技機は、手段１又は２の遊技機において、
前記表示制御手段は、識別情報の変動表示に係る変動パターンに基づいて、前記回数画像の表示態様を変化させることが可能である
ことを要旨とする。
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
遊技球検知により取得された取得情報に基づいて識別情報を変動表示する識別情報表示手段を備え、前記識別情報が特定態様で停止表示したことに基づいて遊技者に所定の利益を付与し得る特別遊技が実行可能となる遊技機であって、
遊技状況に応じて所定の演出を実行可能な演出手段と、
遊技球検知により取得された取得情報に係る所定の予告演出を実行可能な予告演出実行手段と、
前記予告演出の演出パターンを記憶するパターン記憶手段と、を備え、
前記パターン記憶手段は、少なくとも、前記識別情報を所定の予告態様で停止表示させた後に所定の予告動作を前記演出手段に行わせる特定予告演出パターンを記憶しており、
前記予告演出実行手段は、前記予告演出として、少なくとも、前記特定予告演出パターンに基づく特定予告演出を実行可能である
ことを特徴とする遊技機。
【請求項２】
前記予告態様として、予め定められた複数の予告態様を有しており、
前記予告動作として、前記複数の予告態様の各々に応じた予告動作を有しており、
前記特定予告演出パターンは、前記識別情報を前記複数の予告態様の何れかで停止表示させた後に該停止表示された予告態様に応じた予告動作を前記演出手段に行わせるものである
ことを特徴とする請求項１に記載の遊技機。
【請求項３】
前記複数の予告態様は、それぞれ前記特別遊技の実行に対する期待度を示唆するものであり、
連続する複数回の識別情報の変動表示の各々で前記特定予告演出を実行する場合、後の変動表示に係る前記特定予告演出での前記予告態様は、先の変動表示に係る前記特定予告演出での前記予告態様に比べ前記期待度が低くならない
ことを特徴とする請求項２に記載の遊技機。
【請求項４】
前記予告演出実行手段は、前記演出手段による演出の実行中に前記特定予告演出を実行可能であって、
前記演出手段による演出の実行中に前記特定予告演出が行われる場合の前記予告動作は、その実行中の演出の態様変化である
ことを特徴とする請求項１から３の何れか一項に遊技機。
【手続補正２】
【補正対象書類名】明細書
【補正対象項目名】０００６
【補正方法】変更
【補正の内容】
【０００６】
前述の課題を解決するために、本発明は以下の手段を採ることとした。
（１）手段１の遊技機は、
遊技球検知により取得された取得情報に基づいて識別情報を変動表示する識別情報表示手段を備え、前記識別情報が特定態様で停止表示したことに基づいて遊技者に所定の利益を付与し得る特別遊技が実行可能となる遊技機であって、
遊技状況に応じて所定の演出を実行可能な演出手段と、
遊技球検知により取得された取得情報に係る所定の予告演出を実行可能な予告演出実行手段と、
前記予告演出の演出パターンを記憶するパターン記憶手段と、を備え、
前記パターン記憶手段は、少なくとも、前記識別情報を所定の予告態様で停止表示させた後に所定の予告動作を前記演出手段に行わせる特定予告演出パターンを記憶しており、
前記予告演出実行手段は、前記予告演出として、少なくとも、前記特定予告演出パターンに基づく特定予告演出を実行可能である
ことを要旨とする。
（２）手段２の遊技機は、手段１の遊技機において、
前記予告態様として、予め定められた複数の予告態様を有しており、
前記予告動作として、前記複数の予告態様の各々に応じた予告動作を有しており、
前記特定予告演出パターンは、前記識別情報を前記複数の予告態様の何れかで停止表示させた後に該停止表示された予告態様に応じた予告動作を前記演出手段に行わせるものである
ことを要旨とする。
（３）手段３の遊技機は、手段２の遊技機において、
前記複数の予告態様は、それぞれ前記特別遊技の実行に対する期待度を示唆するものであり、
連続する複数回の識別情報の変動表示の各々で前記特定予告演出を実行する場合、後の変動表示に係る前記特定予告演出での前記予告態様は、先の変動表示に係る前記特定予告演出での前記予告態様に比べ前記期待度が低くならない
ことを要旨とする。
（４）手段４の遊技機は、手段１から３の何れかの遊技機において、
前記予告演出実行手段は、前記演出手段による演出の実行中に前記特定予告演出を実行可能であって、
前記演出手段による演出の実行中に前記特定予告演出が行われる場合の前記予告動作は、その実行中の演出の態様変化である
ことを要旨とする。
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
所定条件の成立に基づいて識別情報の変動表示を行い、識別情報の変動表示の表示結果が特定表示結果になることに基づいて、遊技者に所定の利益を付与し得る特別遊技が実行可能となる遊技機であって、
所定の第１遊技状態にて識別情報の変動表示の表示結果が特定表示結果になったことに基づく前記特別遊技が終了した後の遊技状態を、前記第１遊技状態と異なる所定の第２遊技状態に制御可能な遊技状態制御手段と、
前記第１遊技状態における識別情報の変動表示回数を計数可能な計数手段と、
識別情報の変動表示に伴って所定の演出画像を表示可能な演出表示部と、
前記第１遊技状態にて前記計数手段により計数される識別情報の変動表示回数を示す回数画像を表示可能な回数表示部と、
を備えることを特徴とする遊技機。
【請求項２】
識別情報の変動表示の表示結果が特定表示結果になったことに基づいて、前記計数手段により計数された識別情報の変動表示回数を初期化する初期化手段を備える
ことを特徴とする請求項１に記載の遊技機。
【請求項３】
前記回数表示部に前記回数画像を表示または非表示とする表示切替手段を備える
ことを特徴とする請求項１又は２に記載の遊技機。
【請求項４】
識別情報の変動表示に関連する所定の予告演出を実行可能な予告演出手段を備え、
前記予告演出手段は、前記回数表示部に表示されている前記回数画像の表示態様を変化させることにより予告演出を実行する場合がある
ことを特徴とする請求項１から３の何れか一項に記載の遊技機。
【請求項５】
識別情報の変動表示の実行契機となる始動口を備え、
前記始動口として、少なくとも、遊技球の入球可能性が変化し得る可変始動口を有し、
前記第１遊技状態は、前記第２遊技状態に比して遊技球が前記可変始動口に入球する可能性の低い遊技状態である
ことを特徴とする請求項１から４の何れか一項に記載の遊技機。
【請求項６】
前記第２遊技状態が終了して前記第１遊技状態となった後の所定期間は、前記計数手段が識別情報の変動表示回数を計数しないとともに、前記回数表示部に前記回数画像が表示されない
ことを特徴とする請求項１から５の何れか一項に記載の遊技機。
【請求項７】
表面に遊技領域が形成された遊技盤を備え、
前記演出表示部および前記回数表示部は、前記遊技盤の裏側に配置される画像表示手段に設けられるものであって、
前記演出表示部は、前記遊技盤の中央に位置しており、
前記回数表示部は、前記遊技盤の中央から離れた箇所に位置している
ことを特徴とする請求項１から６の何れか一項に記載の遊技機。
【請求項８】
前記回数表示部は、前記遊技領域の外側に位置している
ことを特徴とする請求項７に記載の遊技機。
【請求項９】
前記画像表示手段として、少なくとも第１画像表示手段および第２画像表示手段を有し、
前記第２画像表示手段は前記第１画像表示手段よりも表示領域の大きさが小さく、
前記回数表示部は前記第２表示手段に設けられる
ことを特徴とする請求項７又は８に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
（１）手段１の遊技機は、
所定条件の成立に基づいて識別情報の変動表示を行い、識別情報の変動表示の表示結果が特定表示結果になることに基づいて、遊技者に所定の利益を付与し得る特別遊技が実行可能となる遊技機であって、
所定の第１遊技状態にて識別情報の変動表示の表示結果が特定表示結果になったことに基づく前記特別遊技が終了した後の遊技状態を、前記第１遊技状態と異なる所定の第２遊技状態に制御可能な遊技状態制御手段と、
前記第１遊技状態における識別情報の変動表示回数を計数可能な計数手段と、
識別情報の変動表示に伴って所定の演出画像を表示可能な演出表示部と、
前記第１遊技状態にて前記計数手段により計数される識別情報の変動表示回数を示す回数画像を表示可能な回数表示部と、
を備えることを要旨とする。
（２）手段２の遊技機は、上記手段１の遊技機において、
識別情報の変動表示の表示結果が特定表示結果になったことに基づいて、前記計数手段により計数された識別情報の変動表示回数を初期化する初期化手段を備える
ことを要旨とする。
（３）手段３の遊技機は、上記手段１又は２の遊技機において、
前記回数表示部に前記回数画像を表示または非表示とする表示切替手段を備える
ことを要旨とする。
（４）手段４の遊技機は、上記手段１から３の何れか一つの遊技機において、
識別情報の変動表示に関連する所定の予告演出を実行可能な予告演出手段を備え、
前記予告演出手段は、前記回数表示部に表示されている前記回数画像の表示態様を変化させることにより予告演出を実行する場合がある
ことを要旨とする。
（５）手段５の遊技機は、上記手段１から４の何れか一つの遊技機において、
識別情報の変動表示の実行契機となる始動口を備え、
前記始動口として、少なくとも、遊技球の入球可能性が変化し得る可変始動口を有し、
前記第１遊技状態は、前記第２遊技状態に比して遊技球が前記可変始動口に入球する可能性の低い遊技状態である
ことを要旨とする。
（６）手段６の遊技機は、上記手段１から５の何れか一つの遊技機において、
前記第２遊技状態が終了して前記第１遊技状態となった後の所定期間は、前記計数手段が識別情報の変動表示回数を計数しないとともに、前記回数表示部に前記回数画像が表示されない
ことを要旨とする。
（７）手段７の遊技機は、上記手段１から６の何れか一つの遊技機において、
表面に遊技領域が形成された遊技盤を備え、
前記演出表示部および前記回数表示部は、前記遊技盤の裏側に配置される画像表示手段に設けられるものであって、
前記演出表示部は、前記遊技盤の中央に位置しており、
前記回数表示部は、前記遊技盤の中央から離れた箇所に位置している
ことを要旨とする。
（８）手段８の遊技機は、上記手段７の遊技機において、
前記回数表示部は、前記遊技領域の外側に位置している
ことを要旨とする。
（９）手段９の遊技機は、上記手段７又は８の遊技機において、
前記画像表示手段として、少なくとも第１画像表示手段および第２画像表示手段を有し、
前記第２画像表示手段は前記第１画像表示手段よりも表示領域の大きさが小さく、
前記回数表示部は前記第２表示手段に設けられる
ことを要旨とする。
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
所定条件の成立に基づいて識別情報の変動表示を行い、識別情報の変動表示の表示結果が特定表示結果になることに基づいて、遊技者に所定の利益を付与し得る特別遊技が実行可能となる遊技機であって、
遊技球が流下可能な遊技領域と、
識別情報の変動表示に伴って所定の演出を表示可能な演出表示部と、
識別情報の変動表示回数を表示可能な回数表示部と、を備え、
前記演出表示部は、前記遊技領域の内側に設けられており、
前記回数表示部は、前記遊技領域の外側に設けられている
ことを特徴とする遊技機。
【請求項２】
遊技機の前面側を構成し、その前面側から前記遊技領域を視認可能とする視認窓を含んで構成される前面枠と、を備え、
前記回数表示部は、前記前面枠に設けられる
ことを特徴とする請求項１に記載の遊技機。
【請求項３】
前記回数表示部に表示される変動表示回数の表示又は非表示を切り替えることが可能な表示切替手段を備える
ことを特徴とする請求項１又は２に記載の遊技機。
【請求項４】
前記表示切替手段は、外部からの入力に基づいて、前記変動表示回数の表示または非表示を切り替えることが可能である
ことを特徴とする請求項３に記載の遊技機。
【請求項５】
前記演出表示部では、前記変動表示の表示結果が特定表示結果となる変動表示に伴って特定変動演出が表示可能であり、
前記演出表示部に前記特定変動演出が表示される場合、前記回数表示部に表示される変動表示回数の表示色が所定の通常色から特別色に変化することがある
ことを特徴とする請求項１から４の何れか一項に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
（１）手段１の遊技機は、
所定条件の成立に基づいて識別情報の変動表示を行い、識別情報の変動表示の表示結果が特定表示結果になることに基づいて、遊技者に所定の利益を付与し得る特別遊技が実行可能となる遊技機であって、
遊技球が流下可能な遊技領域と、
識別情報の変動表示に伴って所定の演出を表示可能な演出表示部と、
識別情報の変動表示回数を表示可能な回数表示部と、を備え、
前記演出表示部は、前記遊技領域の内側に設けられており、
前記回数表示部は、前記遊技領域の外側に設けられている
ことを要旨とする。
（２）手段２の遊技機は、手段１の遊技機において、
遊技機の前面側を構成し、その前面側から前記遊技領域を視認可能とする視認窓を含んで構成される前面枠と、を備え、
前記回数表示部は、前記前面枠に設けられる
ことを要旨とする。
（３）手段３の遊技機は、手段１又は２の遊技機において、
前記回数表示部に表示される変動表示回数の表示又は非表示を切り替えることが可能な表示切替手段を備える
ことを要旨とする。
（４）手段４の遊技機は、手段３の遊技機において、
前記表示切替手段は、外部からの入力に基づいて、前記変動表示回数の表示または非表示を切り替えることが可能である
ことを要旨とする。
（５）手段５の遊技機は、手段１から４の何れかの遊技機において、
前記演出表示部では、前記変動表示の表示結果が特定表示結果となる変動表示に伴って特定変動演出が表示可能であり、
前記演出表示部に前記特定変動演出が表示される場合、前記回数表示部に表示される変動表示回数の表示色が所定の通常色から特別色に変化することがある
ことを要旨とする。
【手続補正書】
【提出日】令和2年3月28日(2020.3.28)
【手続補正１】
【補正対象書類名】特許請求の範囲
【補正対象項目名】全文
【補正方法】変更
【補正の内容】
【特許請求の範囲】
【請求項１】
所定条件の成立に基づいて取得した取得情報を記憶する取得情報記憶手段と、
前記取得情報記憶手段に記憶される取得情報のうち、開始条件の成立した取得情報に基づいて識別情報を変動表示する識別情報表示手段と、
所定の遊技演出を実行可能な遊技演出実行手段と、
前記取得情報記憶手段に記憶された取得情報であって、開始条件の成立していない取得情報の夫々に対応する保留絵柄を表示可能な保留絵柄表示部と、
実行中の前記識別情報の変動表示に対応する変動絵柄を表示可能な変動絵柄表示部と、
前記識別情報の変動表示の結果が特定結果となると遊技者に有利な特別遊技を実行可能な特別遊技実行手段と、を備えた遊技機であって、
前記遊技演出として、前記識別情報の変動表示の結果が特定結果であることを示す第１遊技演出と、前記開始条件の成立していない取得情報に特定結果となる取得情報が記憶されていることを示す第２遊技演出と、を有し、
前記第１遊技演出は、前記変動絵柄の表示態様を変化させる演出とされ、
前記第２遊技演出は、前記保留絵柄の表示態様を変化させる演出とされ、
前記遊技演出実行手段は、前記第１遊技演出及び前記第２遊技演出を順に実行するものとされ、
前記保留絵柄表示部には、前記取得情報記憶手段に記憶される開始条件の成立していない複数の取得情報の夫々に対応して複数の保留絵柄を表示可能であり、
前記保留絵柄表示部に複数の保留絵柄が表示されている場合であって、特定結果となる取得情報に対応する前記保留絵柄が複数ある場合、
前記第２遊技演出は、特定結果となる取得情報に対応する前記保留絵柄であって、最先に開始条件が成立する前記保留絵柄だけの表示態様を変化させる
ことを特徴とする遊技機。
【手続補正２】
【補正対象書類名】明細書
【補正対象項目名】０００７
【補正方法】変更
【補正の内容】
【０００７】
上述の課題を解決するための第１発明の遊技機は、
所定条件の成立に基づいて取得した取得情報を記憶する取得情報記憶手段と、
前記取得情報記憶手段に記憶される取得情報のうち、開始条件の成立した取得情報に基づいて識別情報を変動表示する識別情報表示手段と、
所定の遊技演出を実行可能な遊技演出実行手段と、
前記取得情報記憶手段に記憶された取得情報であって、開始条件の成立していない取得情報の夫々に対応する保留絵柄を表示可能な保留絵柄表示部と、
実行中の前記識別情報の変動表示に対応する変動絵柄を表示可能な変動絵柄表示部と、
前記識別情報の変動表示の結果が特定結果となると遊技者に有利な特別遊技を実行可能な特別遊技実行手段と、を備えた遊技機であって、
前記遊技演出として、前記識別情報の変動表示の結果が特定結果であることを示す第１遊技演出と、前記開始条件の成立していない取得情報に特定結果となる取得情報が記憶されていることを示す第２遊技演出と、を有し、
前記第１遊技演出は、前記変動絵柄の表示態様を変化させる演出とされ、
前記第２遊技演出は、前記保留絵柄の表示態様を変化させる演出とされ、
前記遊技演出実行手段は、前記第１遊技演出及び前記第２遊技演出を順に実行するものとされ、
前記保留絵柄表示部には、前記取得情報記憶手段に記憶される開始条件の成立していない複数の取得情報の夫々に対応して複数の保留絵柄を表示可能であり、
前記保留絵柄表示部に複数の保留絵柄が表示されている場合であって、特定結果となる取得情報に対応する前記保留絵柄が複数ある場合、
前記第２遊技演出は、特定結果となる取得情報に対応する前記保留絵柄であって、最先に開始条件が成立する前記保留絵柄だけの表示態様を変化させる
ことを特徴とするものである。

【手続補正３】
【補正対象書類名】明細書
【補正対象項目名】０００８
【補正方法】変更
【補正の内容】
【０００８】
このような遊技機によれば、取得情報記憶手段に記憶される取得情報に基づいて識別情報を変動表示し、当該識別情報の変動表示の結果が特定結果となると遊技者に有利な特別遊技を実行可能な遊技機であって、識別情報の変動表示の結果が特定結果であることを示す第１遊技演出と、開始条件の成立していない取得情報に特定結果となる取得情報が記憶されていることを示す第２遊技演出と、を有している。また、取得情報記憶手段に記憶された取得情報であって、開始条件の成立していない取得情報（所謂、保留情報）の夫々に対応する保留絵柄を表示可能な保留絵柄表示部と、実行中の識別情報の変動表示（に係る変動情報）に対応する変動絵柄を表示可能な変動絵柄表示部と、を有し、第１遊技演出は変動絵柄の表示態様を変化させる演出とし、第２遊技演出は保留絵柄の表示態様を変化させる演出としている。また、保留絵柄表示部に複数の保留絵柄が表示される場合であって、特定結果となる取得情報に対応する保留絵柄が複数ある場合（すなわち、２個以上の特別遊技に係る保留情報が記憶されている場合）、当該特定結果に係る取得情報のうち、最先に開始条件が成立する保留絵柄だけの表示態様を変化させるものとする。
これにより、遊技者は、第１遊技演出又は／及び第２遊技演出をみることで、現在実行中の変動表示に基づいて特別遊技が実行されること、又は／及び、未実行の変動表示に基づいて特別遊技が実行されることを認識することができ、遊技興趣を高めることが可能となる。また、第１遊技演出及び第２遊技演出は、所定の表示部に表示される変動絵柄と保留絵柄での表示態様を変化させることで、遊技者は複数回の特別遊技が実行されることを容易に把握することが可能となる。また、開始条件の成立していない取得情報のうち、最も先に特別遊技が開始される取得情報だけを、遊技者にその存在が報知するため、遊技者はどのタイミングで複数回の特別遊技が実行されるかを容易且つ確実に把握することが可能となる。さらに、開始条件の成立していない取得情報のうち、最も先に特別遊技が開始される取得情報だけを、報知するため、実際に複数の特定結果に係る取得情報が記憶されていた場合には、遊技者が想定していたより多い回数の特別遊技が短期間で発生することとなるので、遊技興趣を顕著に高めることが可能となる。
【手続補正書】
【提出日】令和2年3月28日(2020.3.28)
【手続補正１】
【補正対象書類名】特許請求の範囲
【補正対象項目名】全文
【補正方法】変更
【補正の内容】
【特許請求の範囲】
【請求項１】
所定条件の成立に基づいて取得した取得情報を記憶する取得情報記憶手段と、
前記取得情報記憶手段に記憶される取得情報のうち、開始条件の成立した取得情報に基づいて識別情報を変動表示する識別情報表示手段と、
所定の遊技演出を実行可能な遊技演出実行手段と、
前記取得情報記憶手段に記憶された取得情報であって、開始条件の成立していない取得情報の夫々に対応する保留絵柄を表示可能な保留絵柄表示部と、
実行中の前記識別情報の変動表示に対応する変動絵柄を表示可能な変動絵柄表示部と、
前記識別情報の変動表示の結果が特定結果となると遊技者に有利な特別遊技を実行可能な特別遊技実行手段と、を備えた遊技機であって、
前記遊技演出として、前記識別情報の変動表示の結果が特定結果であることを示す第１遊技演出と、前記開始条件の成立していない取得情報に特定結果となる取得情報が記憶されていることを示す第２遊技演出と、を有し、
前記第１遊技演出は、前記変動絵柄の表示態様を変化させる演出とされ、
前記第２遊技演出は、前記保留絵柄の表示態様を変化させる演出とされる
ことを特徴とする遊技機。
【請求項２】
前記保留絵柄表示部には、前記取得情報記憶手段に記憶される開始条件の成立していない複数の取得情報の夫々に対応して複数の保留絵柄を表示可能であり、
前記保留絵柄表示部に複数の保留絵柄が表示されている場合、
前記第２遊技演出は、特定結果となる取得情報に対応する前記保留絵柄の表示態様を変化させることを特徴とする請求項１に記載の遊技機。
【請求項３】
前記保留絵柄表示部に複数の保留絵柄が表示されている場合であって、特定結果となる取得情報に対応する前記保留絵柄が複数ある場合、
前記第２遊技演出は、特定結果となる取得情報に対応する前記保留絵柄であって、最先に開始条件が成立する前記保留絵柄の表示態様を変化させることを特徴とする請求項１又は請求項２に記載の遊技機。
【手続補正２】
【補正対象書類名】明細書
【補正対象項目名】０００７
【補正方法】変更
【補正の内容】
【０００７】
（１）上述の課題を解決するための第１発明の遊技機は、
所定条件の成立に基づいて取得した取得情報を記憶する取得情報記憶手段と、
前記取得情報記憶手段に記憶される取得情報のうち、開始条件の成立した取得情報に基づいて識別情報を変動表示する識別情報表示手段と、
所定の遊技演出を実行可能な遊技演出実行手段と、
前記取得情報記憶手段に記憶された取得情報であって、開始条件の成立していない取得情報の夫々に対応する保留絵柄を表示可能な保留絵柄表示部と、
実行中の前記識別情報の変動表示に対応する変動絵柄を表示可能な変動絵柄表示部と、
前記識別情報の変動表示の結果が特定結果となると遊技者に有利な特別遊技を実行可能な特別遊技実行手段と、を備えた遊技機であって、
前記遊技演出として、前記識別情報の変動表示の結果が特定結果であることを示す第１遊技演出と、前記開始条件の成立していない取得情報に特定結果となる取得情報が記憶されていることを示す第２遊技演出と、を有し、
前記第１遊技演出は、前記変動絵柄の表示態様を変化させる演出とされ、
前記第２遊技演出は、前記保留絵柄の表示態様を変化させる演出とされる
ことを特徴とするものである。

【手続補正３】
【補正対象書類名】明細書
【補正対象項目名】０００８
【補正方法】変更
【補正の内容】
【０００８】
このような遊技機によれば、取得情報記憶手段に記憶される取得情報に基づいて識別情報を変動表示し、当該識別情報の変動表示の結果が特定結果となると遊技者に有利な特別遊技を実行可能な遊技機であって、識別情報の変動表示の結果が特定結果であることを示す第１遊技演出と、開始条件の成立していない取得情報に特定結果となる取得情報が記憶されていることを示す第２遊技演出と、を有している。また、取得情報記憶手段に記憶された取得情報であって、開始条件の成立していない取得情報（所謂、保留情報）の夫々に対応する保留絵柄を表示可能な保留絵柄表示部と、実行中の識別情報の変動表示（に係る変動情報）に対応する変動絵柄を表示可能な変動絵柄表示部と、を有し、第１遊技演出は変動絵柄の表示態様を変化させる演出とし、第２遊技演出は保留絵柄の表示態様を変化させる演出としている。
これにより、遊技者は、第１遊技演出又は／及び第２遊技演出をみることで、現在実行中の変動表示に基づいて特別遊技が実行されること、又は／及び、未実行の変動表示に基づいて特別遊技が実行されることを認識することができ、遊技興趣を高めることが可能となる。また、第１遊技演出及び第２遊技演出は、所定の表示部に表示される変動絵柄と保留絵柄での表示態様を変化させることで、遊技者は複数回の特別遊技が実行されることを容易に把握することが可能となる。
（２）また、参考発明３−２の遊技機は、参考発明３−１の遊技機において、
前記保留絵柄表示部には、前記取得情報記憶手段に記憶される開始条件の成立していない複数の取得情報の夫々に対応して複数の保留絵柄を表示可能であり、
前記保留絵柄表示部に複数の保留絵柄が表示されている場合、
前記第２遊技演出は、特定結果となる取得情報に対応する前記保留絵柄の表示態様を変化させることを特徴とするものである。
このような遊技機によれば、保留絵柄表示部には、複数の取得情報の夫々に対応して複数の保留絵柄を表示可能とされる。そして、保留絵柄表示部に複数の保留絵柄が表示されている場合に第２遊技演出が実行される場合には、特別遊技に係る取得情報に対応する保留絵柄の表示態様を変化させるものとする。これにより、第１遊技演出及び第２遊技演出は、特別遊技の実行に係る変動絵柄と保留絵柄との表示態様を変化させるので、遊技者はどのタイミングで複数回の特別遊技が実行されるかを容易且つ確実に把握することが可能となる。
（３）また、参考発明３−３の遊技機は、参考発明３−２の遊技機において、
前記保留絵柄表示部に複数の保留絵柄が表示されている場合であって、特定結果となる取得情報に対応する前記保留絵柄が複数ある場合、
前記第２遊技演出は、特定結果となる取得情報に対応する前記保留絵柄であって、最先に開始条件が成立する前記保留絵柄の表示態様を変化させることを特徴とするものである。
このような遊技機によれば、保留絵柄表示部に複数の保留絵柄が表示される場合であって、特定結果となる取得情報に対応する保留絵柄が複数ある場合（すなわち、２個以上の特別遊技に係る保留情報が記憶されている場合）、当該特定結果に係る取得情報のうち、少なくとも最先に開始条件が成立する保留絵柄の表示態様を変化させるものとする。これにより、開始条件の成立していない取得情報のうち、最も先に特別遊技が開始される取得情報については、遊技者にその存在が報知されるため、遊技者はどのタイミングで複数回の特別遊技が実行されるかを容易且つ確実に把握することが可能となる。
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
撮像部と、制御部と、画像処理部と、を有する撮像装置であって、
前記撮像部は、第１の画像データを取得する機能を有し、
前記制御部は、前記撮像部における露光時間を制御する機能を有し、
前記画像処理部は、ニューラルネットワークを有し、
前記ニューラルネットワークは、第２の画像データを生成する機能を有し、
前記画像処理部は、前記第１の画像データから前記第２の画像データを減算して、第３の画像データを生成する機能を有する、撮像装置。
【請求項２】
請求項１において、
温度センサを有し、
前記温度センサは、前記撮像部の温度を取得する機能を有し、
前記ニューラルネットワークは、前記第１の画像データを取得したときの前記露光時間および前記温度を入力データとして前記第２の画像データを生成する機能を有する、撮像装置。
【請求項３】
請求項２において、
前記撮像部は第４の画像データを取得する機能を有し、
前記画像処理部は、前記第４の画像データを取得したときの露光時間および前記撮像部の温度を入力データとし、
前記第４の画像データを教師データとして前記ニューラルネットワークの重み係数を補正する機能を有する、撮像装置。
【請求項４】
請求項１乃至請求項３のいずれか一において、
前記ニューラルネットワークは、積和演算素子を有する、撮像装置。
【請求項５】
請求項１乃至請求項４のいずれか一において、
前記撮像部の画素は、チャネル形成領域に金属酸化物を有するトランジスタを有する、撮像装置。
【請求項６】
請求項１乃至請求項５のいずれか一において、
前記撮像部の画素は、セレンまたはセレン化合物を有する光電変換素子を有する、撮像装置。
【請求項７】
請求項１乃至請求項６のいずれか一に記載の撮像装置と、表示装置と、を有する、電子機器。
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
送信設定を受け付け可能な第１の画面と、前記第１の画面で受け付けられない他の送信設定を受け付け可能な第２の画面を表示可能な表示手段を有する画像処理装置であって、
外部装置から宛先情報を受信する受信手段と、
第１の種類の送信プロトコルの前記宛先情報を前記受信手段が受信したことに従って、前記第１の画面を前記表示手段に表示させ、第２の種類の送信プロトコルの前記宛先情報の受信に従って前記第２の画面を前記表示手段に表示させる表示制御手段と、
を有することを特徴とする画像処理装置。
【請求項２】
前記第２の種類の送信プロトコルの前記宛先情報の受信に従って、前記宛先情報が表示された前記第２の画面を前記表示手段に表示させることを特徴とする請求項１に記載の画像処理装置。
【請求項３】
前記第１の画面は電子メールプロトコルの設定を受け付け可能な画面であり、
前記第２の画面はファクス送信プロトコルの設定のみを受け付け可能な画面であることを特徴とする請求項１または２に記載の画像処理装置。
【請求項４】
前記第１の画面で受け付けられない設定はダイレクトファクス設定であることを特徴とする請求項３に記載の画像処理装置。
【請求項５】
原稿を読み取って画像データを生成する読取手段をさらに有し、
前記画像データは前記宛先情報が示す宛先に送信されることを特徴とする請求項１乃至４の何れか１項に記載の画像処理装置。
【請求項６】
前記受信手段はネットワークを介して前記外部装置から前記宛先情報を受信することを特徴とする請求項１乃至５の何れか１項に記載の画像処理装置。
【請求項７】
前記画像処理装置は前記外部装置に接続するための接続情報を送信し、
前記受信手段は、前記接続情報に用いた通信を介して前記宛先情報を受信することを特徴とする請求項１乃至６の何れか１項に記載の画像処理装置。
【請求項８】
前記接続情報はＳＳＩＤであり、前記通信はＷｉ−Ｆｉであることを特徴とする請求項７に記載の画像処理装置。
【請求項９】
前記外部装置は携帯端末であることを特徴とする請求項１乃至８の何れか１項に記載の画像処理装置。
【請求項１０】
印刷手段をさらに有することを特徴とする請求項１乃至９の何れか１項に記載の画像処理装置。
【請求項１１】
送信設定を受け付け可能な第１の画面と、前記第１の画面で受け付けられない他の送信設定を受け付け可能な第２の画面を表示可能な表示手段を有する画像処理装置が実行する情報処理方法であって、
外部装置から宛先情報を受信する受信ステップと、
第１の種類の送信プロトコルの前記宛先情報を前記受信ステップが受信したことに従って、前記第１の画面を前記表示手段に表示させ、第２の種類の送信プロトコルの前記宛先情報の受信に従って前記第２の画面を前記表示手段に表示させる表示制御ステップと
を含むことを特徴とする情報処理方法。
【請求項１２】
送信設定を受け付け可能な第１の画面と、前記第１の画面で受け付けられない他の送信設定を受け付け可能な第２の画面を表示可能な表示手段を有する画像処理装置のためのプログラムであって、
コンピュータを、
外部装置から宛先情報を受信する受信手段と、
第１の種類の送信プロトコルの前記宛先情報を前記受信手段が受信したことに従って、前記第１の画面を前記表示手段に表示させ、第２の種類の送信プロトコルの前記宛先情報の受信に従って前記第２の画面を前記表示手段に表示させる表示制御手段として機能させるためのプログラム。
【手続補正２】
【補正対象書類名】明細書
【補正対象項目名】０００６
【補正方法】変更
【補正の内容】
【０００６】
本発明はこのような問題点に鑑みなされたもので、外部装置から宛先情報を受信した場合のユーザの操作性を向上させる仕組みを提供することを目的とする。
【手続補正３】
【補正対象書類名】明細書
【補正対象項目名】０００７
【補正方法】変更
【補正の内容】
【０００７】
そこで、本発明は、送信設定を受け付け可能な第１の画面と、前記第１の画面で受け付けられない他の送信設定を受け付け可能な第２の画面を表示可能な表示手段を有する画像処理装置であって、外部装置から宛先情報を受信する受信手段と、第１の種類の送信プロトコルの前記宛先情報を前記受信手段が受信したことに従って、前記第１の画面を前記表示手段に表示させ、第２の種類の送信プロトコルの前記宛先情報の受信に従って前記第２の画面を前記表示手段に表示させる表示制御手段と、を有することを特徴とする。
【手続補正４】
【補正対象書類名】明細書
【補正対象項目名】０００８
【補正方法】変更
【補正の内容】
【０００８】
本発明によれば、外部装置から宛先情報を受信した場合のユーザの操作性を向上させる仕組みを提供することができる。
【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
監視対象設備と通信でインターネットに接続された監視装置によって監視を行う監視システムであって、
前記監視対象設備は、
設備本体と、
前記設備本体から取得された取得データを処理するデータ処理部とを備え、
前記データ処理部は、
前記取得データのうち、低密度データを取得する低密度データ取得部と、
前記取得データのうち、前記低密度データよりも時間当たりのデータ量が大きい高密度データを取得する高密度データ取得部と、
前記高密度データから特徴量を抽出して当該高密度データのサンプリング間隔を低密度化した特徴量データに変換するデータ変換部と、
前記低密度データ及び前記特徴量データを含む監視データを送信する送信部とを備え、  前記監視装置は、
前記監視対象設備の前記データ処理部における前記送信部から送信された前記監視データに基づいて監視を行う監視システム。
【請求項２】
前記監視装置は、前記監視データに基づいて詳細データを前記監視対象設備に要求し、  前記送信部は、前記監視装置から要求があった場合には、前記高密度データ、前記低密度データまたは前記特徴量データのうち少なくとも１つを含む詳細データを送信する
請求項１に記載の監視システム。
【請求項３】
前記監視装置は、前記低密度データまたは前記特徴量データに基づく前記設備本体の異常度が所定の閾値以上である場合に、前記詳細データを前記監視対象設備に要求する
請求項２に記載の監視システム。
【請求項４】
前記高密度データは、サンプリング周期が１００Ｈｚから１ＭＨｚのものである
請求項１から３のいずれか一項に記載の監視システム。
【請求項５】
監視対象設備とインターネットで接続された監視装置によって監視を行う監視システムにおける前記監視対象設備が備える処理装置であって、
設備本体から取得された取得データを処理するデータ処理部を備え、
前記データ処理部は、
前記取得データのうち、低密度データを取得する低密度データ取得部と、
前記取得データのうち、前記低密度データよりも時間当たりのデータ量が大きい高密度データを取得する高密度データ取得部と、
前記高密度データから特徴量を抽出して当該高密度データのサンプリング間隔を低密度化した特徴量データに変換するデータ変換部と、
前記低密度データ及び前記特徴量データを含む監視データを送信する送信部と、
を備える処理装置。
【請求項６】
監視対象設備とインターネットで接続された監視装置によって監視を行う監視システムにおける前記監視装置であって、
設備本体から取得された取得データのうち低密度データと、前記取得データのうち前記低密度データよりも時間当たりのデータ量が大きい高密度データから特徴量を抽出して当該高密度データのサンプリング間隔を低密度化した特徴量データとを含む監視データを受信し、受信した前記監視データに基づいて監視を行う監視装置。
【請求項７】
監視対象設備と通信でインターネットに接続された監視装置によって監視を行う監視システムにおける監視方法であって、
前記監視対象設備が、設備本体から取得された取得データのうち、低密度データを取得する低密度データ取得ステップと、
前記監視対象設備が、前記取得データのうち、前記低密度データよりも時間当たりのデータ量が大きい高密度データを取得する高密度データ取得ステップと、
前記監視対象設備が、前記高密度データから特徴量を抽出して当該高密度データのサンプリング間隔を低密度化した特徴量データに変換するデータ変換ステップと、
前記監視対象設備が、前記低密度データ及び前記特徴量データを含む監視データを送信する送信ステップと、
前記監視装置が、前記監視対象設備から送信された前記監視データに基づいて監視を行う監視ステップと、
を有する監視方法。
【請求項８】
監視対象設備と通信でインターネットに接続された監視装置によって監視を行う監視システムにおける前記監視対象設備が備える処理装置のコンピュータに、
設備本体から取得された取得データのうち、低密度データを取得する低密度データ取得ステップと、
前記取得データのうち、前記低密度データよりも時間当たりのデータ量が大きい高密度データを取得する高密度データ取得ステップと、
前記高密度データから特徴量を抽出して当該高密度データのサンプリング間隔を低密度化した特徴量データに変換するデータ変換ステップと、
前記低密度データ及び前記特徴量データを含む監視データを送信する送信ステップと、  を実行させるためのプログラム。
【請求項９】
監視対象設備と通信でインターネットに接続された監視装置によって監視を行う監視システムにおける前記監視装置のコンピュータに、
設備本体から取得された取得データのうち低密度データと、前記取得データのうち前記低密度データよりも時間当たりのデータ量が大きい高密度データから特徴量を抽出して当該高密度データのサンプリング間隔を低密度化した特徴量データとを含む監視データを受信し、受信した前記監視データに基づいて監視を行う監視ステップ
を実行させるためのプログラム。
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
複数のアンテナ端子を有する無線モジュールと、
前記無線モジュールの前記各アンテナ端子にそれぞれ接続された複数のアンテナと、
前記各アンテナの受信強度を算出する受信強度算出手段と、
を備え、
前記無線モジュールの前記各アンテナ端子のうち少なくとも１つの前記アンテナ端子には複数の前記アンテナが接続可能とされており、かつ、当該複数のアンテナは当該アンテナ端子との接続をスイッチで切り替えられるようになっており、
前記受信強度算出手段は、
複数の前記アンテナの中から抽出した所定個数の前記アンテナの各受信強度のうちの最大値と最小値との差を算出する強度差算出処理を、前記所定個数のアンテナの全ての組み合わせについて行い、
前記各組み合わせの中で前記差が最も小さい前記所定個数のアンテナの組み合わせを選択し、
選択した所定個数の前記アンテナを用いてＭＩＭＯ通信を行うことを特徴とする可搬型装置。
【請求項２】
前記受信強度算出手段は、前記差が同じ前記組み合わせが複数ある場合には、それらの前記組み合わせの中から前記受信強度が最も高い前記アンテナの組み合わせを選択することを特徴とする請求項１に記載の可搬型装置。
【請求項３】
前記無線モジュールの同じ前記アンテナ端子に接続可能とされている複数の前記アンテナは、前記可搬型装置の互いに異なる面に配置されていることを特徴とする請求項１又は請求項２に記載の可搬型装置。
【請求項４】
前記無線モジュールの同じ前記アンテナ端子に接続可能とされている複数の前記アンテナは、互いに略直交する向きに配置されていることを特徴とする請求項１から請求項３のいずれか一項に記載の可搬型装置。
【請求項５】
前記無線モジュールの同じ前記アンテナ端子に接続可能とされている複数の前記アンテナは、互いの近傍に配置されており、かつ、互いに指向性が異なったアンテナからなることを特徴とする請求項１から請求項４のいずれか一項に記載の可搬型装置。
【請求項６】
前記無線モジュールの前記各アンテナ端子のうち、少なくとも１つの前記アンテナ端子に１つの前記アンテナのみが接続されていることを特徴とする請求項１から請求項５のいずれか一項に記載の可搬型装置。
【請求項７】
複数のアンテナ端子を有する無線モジュールと、
前記無線モジュールの前記各アンテナ端子に１つずつ接続された複数のアンテナと、
前記各アンテナの受信強度を算出する受信強度算出手段と、
を備え、
前記アンテナが接続されている前記アンテナ端子が３つ以上あり、
前記受信強度算出手段は、
複数の前記アンテナの中から抽出した所定個数の前記アンテナの各受信強度のうちの最大値と最小値との差を算出する強度差算出処理を、前記所定個数のアンテナの全ての組み合わせについて行い、
前記各組み合わせの中で前記差が最も小さい前記所定個数のアンテナの組み合わせを選択し、
選択した所定個数の前記アンテナを用いてＭＩＭＯ通信を行うことを特徴とする可搬型装置。
【請求項８】
前記受信強度算出手段は、前記強度差算出処理を、アンテナ選択用参照信号を前記各アンテナが受信した際の前記受信強度に基づいて行うことを特徴とする請求項１から請求項７のいずれか一項に記載の可搬型装置。
【請求項９】
前記可搬型装置は、放射線画像撮影に用いられる可搬型の装置、又は放射線画像撮影により得られた放射線画像に基づく診断に用いられる可搬型の装置であることを特徴とする請求項１から請求項８のいずれか一項に記載の可搬型装置。
【請求項１０】
前記可搬型装置は、可搬型の放射線画像撮影装置であることを特徴とする請求項９に記載の可搬型装置。